(57)【要約】【課題】  光度が高く均質なＬＥＤランプ使用の表示板を提供する。【解決手段】  フレーム１１０と、その正面に装着されるプレート１７０と、プレート１７０の後方との間に距離を置くミラー１５０と、フレー１１０ムの少なくともの一側の内側に配置される多数個のＬＥＤランプ１４０と、ＬＥＤランプ１４０に向き合う光誘導板１６０とを備えることで、光誘導板１６０により多数個のＬＥＤランプ１４０の光線をプレート１７０とミラー１５０に誘導する。【選択図】    図１
0003110817.tif 000002
【実用新案登録請求の範囲】
【請求項１】
フレームと、
フレームの正面に装着されるプレートと、
プレートの後方との間に距離を置くミラーと、
フレームの少なくともの一側の内側に配置される多数個のＬＥＤランプと、
ＬＥＤランプに向き合う光誘導板とを備え、
光誘導板により多数個のＬＥＤランプの光線をプレートおよびミラーに誘導可能であることを特徴とするＬＥＤランプ使用の表示板。
【請求項２】
フレームは、多数個のＬＥＤランプを配置するための回転可能な板を有することを特徴とする請求項１に記載のＬＥＤランプ使用の表示板。
【請求項３】
フレームは、多数個のＬＥＤランプを配置するためのクリップを有することを特徴とする請求項１に記載のＬＥＤランプ使用の表示板。
【請求項４】
フレームは、互いに嵌合する上フレーム部と下フレーム部を有し、多数個のＬＥＤランプは下フレーム部に配置され、プレートは上フレーム部に装着されることを特徴とする請求項１に記載のＬＥＤランプ使用の表示板。
【請求項５】
多数個のＬＥＤランプのパケットによりモジュールを構成し、
モジュールは接続ピンを少なくとも二つ有することを特徴とする請求項１に記載のＬＥＤランプ使用の表示板。
【請求項６】
多数個のＬＥＤランプは、別々にはんだ付けされプリンタ回路板に接続されることを特徴とする請求項１に記載のＬＥＤランプ使用の表示板。
【請求項７】
光誘導板は、多数個のＬＥＤランプに対応する溝槽を有することを特徴とする請求項１に記載のＬＥＤランプ使用の表示板。
【請求項８】
光誘導板と多数個のＬＥＤランプの間には、拡散板を有することを特徴とする請求項１に記載のＬＥＤランプ使用の表示板。
【請求項９】
プレートの後方には、散光板を少なくとも一つ有することを特徴とする請求項１に記載のＬＥＤランプ使用の表示板。
【考案の詳細な説明】
【技術分野】
【０００１】
本発明は、表示板に関し、特に発光ダイオード（ＬＥＤ）ランプ使用の表示板に関するものである。
【背景技術】
【０００２】
表示板は一般的に公衆場所の非常口の表示や位置の表示やサービス内容の表示などに汎用される装置である。
典型的な表示板はランプボックスを有し、ランプボックスの中の蛍光灯がパターンを有するプレートを照射することで表示作用が生じるものである。その欠点は、蛍光灯の基座と電線が取れやすいということであるため、特許文献１によりクリップと槽構造でランプを固定し、電線を収納することが提出された。しかし部品が空間をかなり占めるためランプボックスの体積が大きくなるのが蛍光灯の欠点である。したがって、特許文献２により光源として冷光プレートを採用することが提出された。しかし冷光プレートは光度が低く、実用性があまりない。また蛍光灯のもう一つ欠点は消費電力が大きいとうことであり、通常表示板に必要なランプが二つであるため、消費電力がかなり大きく、停電した場合、予備電力がすぐ切れる。ランプを一本使えば消費電力を減少させることが可能であるが、光度が足りず、ランプらから遠く離れるプレートのパターンはぼんやりしてよく見えない。
【０００３】
ＬＥＤランプはランプを温める時間を必要とせず、消費電力が低く、ユニットの寿命が長く、反応の速度が速く、体積が小さいため、信号や看板及び照明などに汎用されているが、表示板に適用するには解決しなければならない点がある。特許文献３に開示されるのは、プレートのパターンの周囲にＬＥＤランプを配置し、パターンを目立たせるものであるが、構造があまりにも複雑だという欠点がある。また特許文献４に開示されるのは蛍光灯の代わりにＬＥＤランプを使用し、かつＬＥＤランプをプレートの後方に装着するものであるが、プレートの光度が均質ではないという欠点がある。またＬＥＤランプが光源に近い場合、ＬＥＤランプの正面は眩しすぎ、ランプとランプの間は暗すぎる。またＬＥＤランプは液晶ディスプレイのバックライトモジュールに適用されるが、バックライトモジュールの光誘導板と拡散板は画面の背面の全部を占め、体積が大きく、重量が重く、光効率が低いため、直接に表示板に使用することは適当ではない。したがって光度が高くて均質である表示板が期待される。
【０００４】
【特許文献１】中華民国特許出願第９０２１１３１５号
【特許文献２】中華民国特許出願第８７２０６１９２号
【特許文献３】中華民国特許出願第８５２１９０８８号
【特許文献４】中華民国特許出願第９２２１８０１６号
【考案の開示】
【考案が解決しようとする課題】
【０００５】
本考案の目的はＬＥＤランプ使用の表示板を提供することにある。
【課題を解決するための手段】
【０００６】
上述の目的を達成するために、本考案によるＬＥＤランプ使用の表示板は、フレームと、その正面に装着されるプレートと、プレートの後方との間に距離を置くミラーと、フレームの少なくともの一側の内側に配置される多数個のＬＥＤランプと、ＬＥＤランプに向き合う光誘導板とを備えることで、光誘導板により多数個のＬＥＤランプの光線をプレートとミラーに誘導することが可能である。
【０００７】
さらに本考案によるＬＥＤランプ使用の表示板は、フレームは回転可能な板を有し、回転可能な板が開かれると多数個のＬＥＤランプを露出する。
また本考案によるＬＥＤランプ使用の表示板は、フレームは多数個のＬＥＤランプが配置するクリップを有し、クリップはフレームから取り出すことが可能である。
また本考案によるＬＥＤランプ使用の表示板は、フレームは互いに嵌合する上フレーム部と下フレーム部を有し、多数個のＬＥＤランプは下フレーム部に配置され、プレートは上フレーム部に装着される。
【０００８】
また本考案によるＬＥＤランプ使用の表示板は、光誘導板に多数個のＬＥＤランプに対応する溝槽を有するのが好ましい。
また本考案によるＬＥＤランプ使用の表示板は、表示板に光誘導板と多数個のＬＥＤランプの間に位置付けられる拡散板を有するのが好ましい。
また本考案によるＬＥＤランプ使用の表示板は、表示板にプレートの後方に位置付けられる散光板を少なくとも一つ有するのが好ましい。
また本考案によるＬＥＤランプ使用の表示板は、多数個のＬＥＤランプのパケットによりモジュールを構成し、モジュールは接続ピンを少なくとも二つ有する。
また本考案によるＬＥＤランプ使用の表示板は、多数個のＬＥＤランプは別々にはんだ付けによりプリンタ回路板に接続される。
【考案を実施するための最良の形態】
【０００９】
図１は本考案の第一実施例によるＬＥＤランプ使用の表示板の分解図である。表示板１００はアルミニウムまたはほかの材料から製作されるフレーム１１０を有し、その側辺に回転可能な板１２０を有し、その上に光誘導板１６０に向き合う多数個のＬＥＤランプ１４０が配置される基座１３０を有し、光誘導板１６０はＬＥＤランプ１４０に対応する溝槽１６２を有する。また、図２Ａから図２Ｄに示すように光誘導板１６０は異なる形状と異なる形状の溝槽１６２を有してもよい。また図２Ｅから図２Ｈに示すように、光誘導板１６０とＬＥＤランプ１４０の間に拡散板１６４を加えることが可能である。光誘導板１６０はアクリルまたは透明材料から製作される。また図３Ａから図３Ｄに示すように、プレート１７０はフレーム１１０の正面に装着され、かつその上にパターンまたは文字を有する。プレート１７０は強化ガラスから製作され、プレート１７０の後方に装着されるミラー１５０は表面に反射膜がコーティングされたアルミニウムプレートでもよい。
【００１０】
図４Ａと図４Ｂは表示板１００の組み立てを示す模式図であり、図４Ｃと４Ｄはその断面図である。フレーム１００の回転可能な板１２０が開かれるとＬＥＤランプ１４０を露出するため、維持または部品の交換に便利である。回転可能な板１２０が閉められるとＬＥＤランプ１４０の光線が光誘導板１６０によりプレート１７０とミラー１５０に誘導される。ＬＥＤランプ１４０はプレート１７０の正面に向き合っていないため、部分的な部位の光度が高くなることはない。また光線は光誘導板１６０を経てプレート１７０に放射されたり、ミラー１５０からプレート１７０に反射されたりするため、光度が均質である。またＬＥＤランプ１４０が光誘導板１６０の溝槽１６２内に配置されるのが好ましい。また、ＬＥＤランプ１４０は溝槽１６２の外に配置されてもよい。ＬＥＤランプ１４０の寸法が小さいため、表示板１００の厚さが薄くなる。光誘導板１６０は細長い形状を呈し、プレート１７０の後方を完全に占めることなく、表示板１００の側辺に位置付けられるため、体積が小さく、重量が軽く、光の消費が少ないだけではなく、細微な散光構造を製作することを必要とせず、材料と製作のコストを削減することが可能である。
【００１１】
各種類のＬＥＤランプはすべて表示板１００に適用される。図５Ａに示すように、ＬＥＤランプ１４１は多数個のＬＥＤランプ１４２が別々にはんだ付けによりプリンタ回路板１４３に接続され、プリンタ回路板１４３は基座１３０に固定される。またＬＥＤランプをモジュール化させることも可能である。図５Ｂに示すように、ＬＥＤランプ１４４は多数個のＬＥＤランプ１４２のパッケトにより構成されるモジュールであり、ランプ台１４５は基座１３０に差し込む接続ピン１４６を二つ有する。図５Ｃに示すように、ＬＥＤランプ１４７はもう一つの異なるモジュール化させたパケットであり、ランプ台１４５は１４６を四つ有する。図５Ｄに示すように、ＬＥＤランプ１４８はまたもう一つの異なるＬＥＤランプ１４２のパケットとランプ台１４５を使用するモジュールである。モジュール化したＬＥＤランプ１４４、１４７または１４８が表示板１００のＬＥＤランプ１４０として使用される場合、取り付けと部品の交換に便利であるため、基座１３０から古いモジュールを抜いて新しいモジュールを取り付ければよい。まるで一般の電球を交換するようである。
【００１２】
図６は本考案の第二実施例の断面図である。表示板２００のフレーム２１０はクリップ２２０を除く部品が表示板１００とほぼ同じである。ＬＥＤランプ１４０はクリップ２２０に配置され、クリップ２２０はフレーム２１０から取り出すことが可能であるため、テスト、維持または部品の交換に便利である。ＬＥＤランプ１４０とクリップ２２０をモジュール化させることも可能であるため、ＬＥＤランプ１４０を交換する場合、直接にクリップ２２０を取り換えればいいである。第二実施例では、ＬＥＤランプ１４０を光誘導板１６０の溝槽１６２の中に深く配置し、溝槽１６２を狭くすることも可能である。
【００１３】
図７と図８は本考案の第三実施例の分解と組み立てを示す模式図である。表示板３００は下フレーム部３１０と、その側辺に位置しかつＬＥＤランプ１４０が配置される基座１３０と、下フレーム部３１０の中に装着されるミラー１５０と、上フレーム部３２０に装着される光誘導板１６０及びプレート１７０と、下フレーム３１０と互いに嵌合して一体となる上フレーム部３２０とを備える。ＬＥＤランプ１４０を維持するか交換する場合、まず上フレーム部３２０を取り外す。ＬＥＤランプ１４０がモジュール化したＬＥＤランプ１４４、１４７または１４８である場合、モジュールを交換すればよい。
【００１４】
図９は本考案の第四実施例の断面図である。表示板４００は表示板３００と比べて散光板１８０が増加する。また数個の散光板１８０はプレート１７０の後方に位置付けられ互いに距離を置くことでプレート１７０に放射される光線を増加させるのが好ましい。また散光板１８０は弧状または波状を呈し、その両端によりフレーム３１０に固定されるのが好ましい。
【００１５】
本考案の実施例による表示板はＬＥＤランプを使用するものであるため、消費電力が低い、寿命が長い、厚さが薄い、故障率が低いなど長所がある。またＬＥＤランプをフレームの側辺に配置すれば、プレートの光度が高くなり、均質になる。またフレームの回転可能な板またはクリップは維持とＬＥＤランプの交換に便利であり、モジュール化したＬＥＤランプを取り付けたり交換したりすることが簡単であり、光誘導板は体積が小さくて効率が高く、散光板は光の使用率を高めることが可能である。
【図面の簡単な説明】
【００１６】
【図１】本考案の第一実施例によるＬＥＤランプ使用の表示板の分解図である。
【図２Ａ】本考案の第一実施例によるＬＥＤランプ使用の表示板の形状と溝槽の形状が異なる光誘導板を示す模式図である。
【図２Ｂ】本考案の第一実施例によるＬＥＤランプ使用の表示板の形状と溝槽の形状が異なる光誘導板を示す模式図である。
【図２Ｃ】本考案の第一実施例によるＬＥＤランプ使用の表示板の形状と溝槽の形状が異なる光誘導板を示す模式図である。
【図２Ｄ】本考案の第一実施例によるＬＥＤランプ使用の表示板の形状と溝槽の形状が異なる光誘導板を示す模式図である。
【図２Ｅ】本考案の第一実施例によるＬＥＤランプ使用の表示板の光誘導板と拡散板の組み合わせを示す模式図である。
【図２Ｆ】本考案の第一実施例によるＬＥＤランプ使用の表示板の光誘導板と拡散板の組み合わせを示す模式図である。
【図２Ｇ】本考案の第一実施例によるＬＥＤランプ使用の表示板の光誘導板と拡散板の組み合わせを示す模式図である。
【図２Ｈ】本考案の第一実施例によるＬＥＤランプ使用の表示板の光誘導板と拡散板の組み合わせを示す模式図である。
【図３Ａ】本考案の第一実施例によるＬＥＤランプ使用の表示板のパターンまたは文字が異なるプレートを示す模式図である。
【図３Ｂ】本考案の第一実施例によるＬＥＤランプ使用の表示板のパターンまたは文字が異なるプレートを示す模式図である。
【図３Ｃ】本考案の第一実施例によるＬＥＤランプ使用の表示板のパターンまたは文字が異なるプレートを示す模式図である。
【図３Ｄ】本考案の第一実施例によるＬＥＤランプ使用の表示板のパターンまたは文字が異なるプレートを示す模式図である。
【図４Ａ】本考案の第一実施例によるＬＥＤランプ使用の表示板の組み立てを示す模式図である。
【図４Ｂ】本考案の第一実施例によるＬＥＤランプ使用の表示板の組み立てを示す模式図である。
【図４Ｃ】本考案の第一実施例によるＬＥＤランプ使用の表示板の断面図である。
【図４Ｄ】本考案の第一実施例によるＬＥＤランプ使用の表示板の断面図である。
【図５Ａ】本考案の第一実施例によるＬＥＤランプ使用の表示板のＬＥＤランプの実施例を示す模式図である。
【図５Ｂ】本考案の第一実施例によるＬＥＤランプ使用の表示板のＬＥＤランプの実施例を示す模式図である。
【図５Ｃ】本考案の第一実施例によるＬＥＤランプ使用の表示板のＬＥＤランプの実施例を示す模式図である。
【図５Ｄ】本考案の第一実施例によるＬＥＤランプ使用の表示板のＬＥＤランプの実施例を示す模式図である。
【図６】本考案の第二実施例によるＬＥＤランプ使用の表示板の断面図である。
【図７】本考案の第三実施例によるＬＥＤランプ使用の表示板の分解と組み立てを示す模式図である。
【図８】本考案の第三実施例によるＬＥＤランプ使用の表示板の分解と組み立てを示す模式図である。
【図９】本考案の第四実施例によるＬＥＤランプ使用の表示板の断面図である。
【符号の説明】
【００１７】
１００  表示板、１１０  フレーム、１２０  回転可能な板、１３０  基座、１４０  ＬＥＤランプ、１４１  ＬＥＤランプ、１４２  ＬＥＤランプ、１４３  プリント回路板、１４４  ＬＥＤランプ、１４５  ランプ台、１４６  接続ピン、１４７  ＬＥＤランプ、１４８  ＬＥＤランプ、１５０  ミラー、１６０  光誘導板、１６２  溝槽、１６４  拡散板、１７０  プレート、１８０  散光板、２００  表示板、２１０  フレーム、２２０  クリップ、３００  表示板、３１０  下フレーム部、３２０  上フレーム部、４００  表示板
【図１】
0003110817.tif 000003
【図２Ａ】
0003110817.tif 000004
【図２Ｂ】
0003110817.tif 000005
【図２Ｃ】
0003110817.tif 000006
【図２Ｄ】
0003110817.tif 000007
【図２Ｅ】
0003110817.tif 000008
【図２Ｆ】
0003110817.tif 000009
【図２Ｇ】
0003110817.tif 000010
【図２Ｈ】
0003110817.tif 000011
【図３Ａ】
0003110817.tif 000012
【図３Ｂ】
0003110817.tif 000013
【図３Ｃ】
0003110817.tif 000014
【図３Ｄ】
0003110817.tif 000015
【図４Ａ】
0003110817.tif 000016
【図４Ｂ】
0003110817.tif 000017
【図４Ｃ】
0003110817.tif 000018
【図４Ｄ】
0003110817.tif 000019
【図５Ａ】
0003110817.tif 000020
【図５Ｂ】
0003110817.tif 000021
【図５Ｃ】
0003110817.tif 000022
【図５Ｄ】
0003110817.tif 000023
【図６】
0003110817.tif 000024
【図７】
0003110817.tif 000025
【図８】
0003110817.tif 000026
【図９】
0003110817.tif 000027